Podtech/llm-jp-corpus-v4-ja_patent huggingface dataset:
【手続補正書】
【提出日】平成17年5月6日(2005.5.6)
【手続補正１】
【補正対象書類名】特許請求の範囲
【補正対象項目名】全文
【補正方法】変更
【補正の内容】
【特許請求の範囲】
【請求項１】
ＮＴＰを含有する生存組織における細胞死および／または組織壊死を防止、調節、回復および／または抑制するための医薬組成物であって、ＮＴＰを認識する少なくとも一つの抗体を含み、ここで抗体は、ＮＴＰの存在により起こされる細胞死および／または組織壊死を防止する、調節する、回復するおよび／または抑制するために十分な量で存在する、前記医薬組成物。
【請求項２】
ＮＴＰを含有する生存組織における細胞死および／または組織壊死を防止、調節、回復および／または抑制するための医薬組成物であって、ＮＴＰを認識する少なくとも一つの抗体断片を含み、ここで抗体断片は、ＮＴＰの存在により起こされる細胞死および／または組織壊死を防止する、調節する、回復するおよび／または抑制するために十分な量で存在する、前記医薬組成物。
【請求項３】
ＮＴＰを含有する生存組織における細胞死および／または組織壊死を防止、調節、回復および／または抑制するための医薬組成物であって、ＮＴＰを認識する少なくとも一つの抗体誘導体を含み、ここで抗体誘導体は、ＮＴＰの存在により起こされる細胞死および／または組織壊死を防止する、調節する、回復するおよび／または抑制するために十分な量で存在する、前記医薬組成物。
【請求項４】
ＮＴＰの存在による細胞死および／または組織壊死により起こされる状態を治療するための医薬組成物であって、ＮＴＰを認識する少なくとも一つの抗体を含み、ここで抗体は、ＮＴＰの存在により起こされる細胞死および／または組織壊死を防止する、調節する、回復するおよび／または抑制するために十分な量で存在する、前記医薬組成物。
【請求項５】
ＮＴＰの存在による細胞死および／または組織壊死により起こされる状態を治療するための医薬組成物であって、ＮＴＰを認識する少なくとも一つの抗体断片を含み、ここで抗体断片は、ＮＴＰの存在により起こされる細胞死および／または組織壊死を防止する、調節する、回復するおよび／または抑制するために十分な量で存在する、前記医薬組成物。
【請求項６】
ＮＴＰの存在による細胞死および／または組織壊死により起こされる状態を治療するための医薬組成物であって、ＮＴＰを認識する少なくとも一つの抗体誘導体を含み、ここで抗体誘導体は、ＮＴＰの存在により起こされる細胞死および／または組織壊死を防止する、調節する、回復するおよび／または抑制するために十分な量で存在する、前記医薬組成物。
【請求項７】
ＮＴＰの存在に起因する細胞死および／または組織壊死により起こされる状態を治療するための組成物であって、（ａ）ＮＴＰを結合する、抗体、抗体誘導体および抗体断片から成る群より選択される少なくとも一つのメンバー、並びに（ｂ）抗体または抗体断片が血液脳関門を越すことを可能にする、前記メンバーに共役した成分、を含んでなる、前記組成物。
【請求項８】
ＮＴＰを含有する生存哺乳動物脳組織における細胞死および／または組織壊死を防止および／または抑制するための医薬組成物であって、少なくともＮＴＰを認識する抗体、抗体誘導体または抗体断片を含有し、さらに抗体、抗体誘導体または抗体断片が血液脳関門を越すことを可能にする成分を含んでいてもよい、前記医薬組成物。
【請求項９】
脳アミロイド症の治療するための医薬組成物であって、少なくともＮＴＰを認識する抗体、抗体誘導体または抗体断片を含有し、さらに抗体、抗体誘導体または抗体断片が血液脳関門を越すことを可能にする成分を含んでいてもよい、前記医薬組成物。
【請求項１０】
ＮＴＰの存在により起こされる細胞死および／または組織壊死による緑内障を治療するための医薬組成物であって、ＮＴＰを認識する少なくとも一つの抗体、抗体誘導体または抗体断片を含み、ここで抗体、抗体誘導体または抗体断片は、ＮＴＰの存在により起こされる細胞死および／または組織壊死を防止する、調節する、回復するおよび／または抑制するために十分な量で存在する、前記医薬組成物。
【請求項１１】
ＮＴＰが、望まれないまたは有害な細胞または組織の除去または破壊の目的のために投与された部位でまたは近傍で、生存組織における細胞死および／または組織壊死を防止、変調、調節、回復および／または抑制するための医薬組成物であって、ＮＴＰを認識する抗体、抗体誘導体及び抗体断片から成る群より選択された少なくとも一つのメンバーを含み、ここで抗体、抗体誘導体または抗体断片は、ＮＴＰの存在により起こされる細胞死および／または組織壊死を防止する、変調する、調節する、回復するおよび／または抑制するために十分な量で存在する、前記医薬組成物。
【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
ビスホスホン酸、その医薬的に許容される塩またはその混合物を含む、吸入用医薬組成物。
【請求項２】
毎日の投与のためにビスホスホン酸５０〜１００μｇを含有する、請求項１に記載の吸入用医薬組成物。
【請求項３】
以下のもの：
(ａ)ビスホスホン酸、その医薬的に許容される塩、またはその混合物、
(ｂ)プロペラント、
(ｃ)所望により潤滑剤、および
(ｄ)所望により界面活性剤
を含む、請求項１に記載の吸入用医薬組成物。
【請求項４】
ビスホスホン酸がアレンドロネート、４−アミノ−１−ヒドロキシブチリデン−１,１−ビスホスホン酸；テルドロネート(teludronate)、４−クロロフェニルチオメチレンビスホスホナト酸；パミドロネート、(３−アミノヒドロキシプロピリデン)ビスホスホン酸；エチドロネート、(１−ヒドロキシエチリデン)ビスホスホン酸；レシドロネート、１−ヒドロキシ−２−(３−ピリジニル)エチリデンビスホスホン酸；ゾレドロネート、２−(イミダゾール−1−イル)−１−ヒドロキシエタン−１,１−ビスホスホン酸；および前記化合物の医薬的に許容される塩から構成される群から選択される、請求項１に記載の吸入用医薬組成物。
【請求項５】
ビスホスホン酸がアレンドロネート、４−アミノ−１−ヒドロキシブチリデン−１,１−ビスホスホン酸、その医薬的に許容される塩またはその混合物である、請求項１に記載の吸入用医薬組成物。
【請求項６】
ビスホスホン酸が腸溶性ポリマーでコーティングされている、請求項１に記載の吸入用医薬組成物。
【請求項７】
ビスホスホン酸がシュレテリック(sureteric)、酢酸セルロースフタレート、メタクリル酸共重合体、ヒドロキシプロピルメチルセルロースフタレート、アクアコートＥＣＤ３０、シェラックおよびゼインから構成される群から選択される腸溶性ポリマーでコーティングされている、請求項６に記載の吸入用医薬組成物。
【請求項８】
ビスホスホン酸がアレンドロネート、４−アミノ−１−ヒドロキシブチリデン−１,１−ビスホスホン酸；テルドロネート、４−クロロフェニルチオメチレンビスホスホナト酸；パミドロネート、(３−アミノヒドロキシプロピリデン)ビスホスホン酸；エチドロネート、(１−ヒドロキシエチリデン)ビスホスホン酸；レシドロネート、１−ヒドロキシ−２−(３−ピリジニル)エチリデンビスホスホン酸；ゾレドロネート、２−(イミダゾール−1−イル)−１−ヒドロキシエタン−１,１−ビスホスホン酸；および前記化合物の医薬的に許容される塩から構成される群から選択される、請求項６に記載の吸入用医薬組成物。
【請求項９】
ビスホスホン酸がアレンドロネート、４−アミノ−１−ヒドロキシブチリデン−１,１−ビスホスホン酸、その医薬的に許容される塩またはその混合物である、請求項６に記載の吸入用医薬組成物。
【手続補正２】
【補正対象書類名】明細書
【補正対象項目名】０００９
【補正方法】変更
【補正の内容】
【０００９】
前記ビスホスホン酸の医薬的に許容される塩にはアルカリ金属塩(たとえばＮａ、Ｋ塩など)、アルカリ土類金属塩(たとえばＣａ塩など)、たとえばＨＣｌなどのような無機酸の塩、およびたとえばクエン酸およびアミノ酸などのような有機酸の塩などが含まれる。ナトリウム塩の形が好適である。アレンドロネートを使用する時には、一ナトリウム塩三水和物が最も好適である。別の態様においては、アレンドロネートは無水型で投与してもよい。
【手続補正書】
【提出日】平成17年4月7日(2005.4.7)
【手続補正１】
【補正対象書類名】特許請求の範囲
【補正対象項目名】全文
【補正方法】変更
【補正の内容】
【特許請求の範囲】
【請求項１】
患っているヒトにおけるＣＲＨの抑制によって処置可能な疾患を処置するための医薬組成物であって、有効な量の式Ｉ：
【化１】
2004528364.tif 000001
［式中、
Ｒ１は、水素またはメチルであり；
Ｒ２は、水素、アルキルまたはＲ’ＣＯであって、Ｒ’はアルキルまたはフェニルであり；
破線は、任意の二重結合を示し、そして、
波線は、ＺまたはＥ異性体を示す］
で示される化合物を含有し、そして、
該医薬組成物は個体の鋤鼻器官への投与に適応する、該医薬組成物。
【請求項２】
疾患はうつ病である、請求項１記載の医薬組成物。
【請求項３】
化合物は１７−メチレンアンドロスタ−４−エン−３α−オールである、請求項１記載の医薬組成物。
【請求項４】
化合物はプレグナ−１７(２０)Ｚ−エン−３α−オールである、請求項１記載の医薬組成物。
【請求項５】
有効な量は２０ｐｇ〜２０ｎｇである、請求項１記載の医薬組成物。
【請求項６】
有効な量は２００ｐｇ〜２ｎｇである、請求項４記載の医薬組成物。
【請求項７】
患っているヒトにおけるＣＲＨの抑制によって処置可能な疾患の処置のための医薬品であって、
標識化されているかまたは該医薬品が該疾患の処置のためのものであることを示す標識を伴う、容器を含有し、該容器は鋤鼻器官投与のための１つ以上の用量単位を含有し、そして各々活性成分として式Ｉ：
【化２】
2004528364.tif 000002
［式中、
Ｒ１は、水素またはメチルであり；
Ｒ２は、水素、アルキルまたはＲ’ＣＯであって、Ｒ’はアルキルまたはフェニルであり；
破線は、任意の二重結合を示し、そして、
波線は、ＺまたはＥ異性体を示す］
で示される化合物を含有する、該医薬品。
【請求項８】
疾患はうつ病である、請求項７記載の医薬品。
【請求項９】
化合物は１７−メチレンアンドロスタ−４−エン−３α−オールである、請求項７記載の医薬品。
【請求項１０】
化合物はプレグナ−１７(２０)Ｚ−エン−３α−オールである、請求項７記載の医薬品。
【請求項１１】
有効な量は２０ｐｇ〜２０ｎｇである、請求項７記載の医薬品。
【請求項１２】
有効な量は２００ｐｇ〜２ｎｇである、請求項１１記載の医薬品。
【請求項１３】
１７−メチレンアンドロスタ−４−エン−３α−オールの製造法であって、
（ａ）１７−メチレンアンドロスタ−４−エン−３β−オールをミツノブ反応条件下で処理して、１７−メチレンアンドロスタ−４−エン−３α−オールのエステルを得て；そして、
（ｂ）該エステルを加水分解して、１７−メチレンアンドロスタ−４−エン−３α−オールを得る、
ことを含む、該製造法。
【請求項１４】
１７−メチレンアンドロスタ−４−エン−３β−オールを、
（ａ）デヒドロエピアンドロステロンをウィッティヒ反応条件下で処理して、１７−メチレンアンドロスタ−５−エン−３β−オールを得て；
（ｂ）該１７−メチレンアンドロスタ−５−エン−３−β−オールを酸化および単離して、１７−メチレンアンドロスタ−４−エン−３−オンを得て；そして、該１７−メチレンアンドロスタ−４−エン−３−オンを還元して、１７−メチレンアンドロスタ−４−エン−３−β−オールを得る、
ことによって製造する、請求項１３記載の製造法。
【請求項１５】
１７−メチレンアンドロスタ−４−エン−３−オンを、セリウム（ＩＩＩ）塩の存在下で水素化ホウ素ナトリウムを用いて還元する、請求項１４記載の製造法。
【手続補正書】
【提出日】平成15年11月26日(2003.11.26)
【手続補正１】
【補正対象書類名】特許請求の範囲
【補正対象項目名】全文
【補正方法】変更
【補正の内容】
【特許請求の範囲】
【請求項１】
Ｎ−ビスホスホネートおよび少なくとも１つの薬学的に許容される担体を含んでなる、前立腺癌を処置するための、医薬組成物。
【請求項２】
Ｎ−ビスホスホネートおよび少なくとも１つの薬学的に許容される担体を含んでなる、哺乳動物における悪性疾患または病状に関連する造骨性転移を処置するための、医薬組成物。
【請求項３】
Ｎ−ビスホスホネートおよび少なくとも１つの薬学的に許容される担体を含んでなる、前立腺癌に関連する転移の処置するための、医薬組成物。
【請求項４】
Ｎ−ビスホスホネートおよび少なくとも１つの薬学的に許容される担体を含んでなる、前立腺癌患者における転移性前立腺癌に関連するＳＲＥを減少させるための、医薬組成物。
【請求項５】
請求項１〜４のいずれかに記載の医薬組成物であって、Ｎ−ビスホスホネートが式Ｉ
【化１】
2004528340.tif 000001
〔式中、
Ｘは、水素、ヒドロキシ、アミノ、アルカノイル、またはＣ１〜Ｃ４アルキルもしくはアルカノイルにより置換されたアミノであり；
Ｒは、水素またはＣ１〜Ｃ４アルキルであり、そして
Ｒｘは、所望により置換されていてもよいアミノ基を含む側鎖、または含窒素へテロ環(芳香族性窒素含有へテロ環を含む)である。〕
の化合物、
あるいは薬学的に許容されるそれらの塩またはそれらの任意の水和物である、組成物。
【請求項６】
Ｎ−ビスホスホネートが次の化合物：
３−アミノ−１−ヒドロキシプロパン−１,１−ジホスホン酸(パミドロン酸)、例えば、パミドロネート(ＡＰＤ)；３−(Ｎ,Ｎ−ジメチルアミノ)−１−ヒドロキシプロパン−１,１−ジホスホン酸、例えば、ジメチル−ＡＰＤ；４−アミノ−１−ヒドロキシブタン−１,１−ジホスホン酸(アレドロン酸)、例えば、アレドロネート；１−ヒドロキシ−３−(メチルペンチルアミノ)−プロピリデン−ビスホスホン酸、イバンドロン酸、例えば、イバンドロネート；６−アミノ−１−ヒドロキシヘキサン−１,１−ジホスホン酸、例えば、アミノ−ヘキシル−ＢＰ；３−(Ｎ−メチル−Ｎ−ｎ−ペンチルアミノ)−１−ヒドロキシプロパン−１,１−ジホスホン酸、例えば、メチル−ペンチル−ＡＰＤ(＝ＢＭ ２１.０９５５)；１−ヒドロキシ−２−(イミダゾール−１−イル)エタン−１,１−ジホスホン酸、例えば、ゾレドロン酸；１−ヒドロキシ−２−(３−ピリジル)エタン−１,１−ジホスホン酸(リセドロン酸)、例えば、リセドロネート；ならびにこれらのＮ−メチルピリジニウム塩、例えばＮＥ−１０２４４またはＮＥ−１０４４６のようなヨウ化 Ｎ−メチルピリジニウム；３−[Ｎ−(２−フェニルチオエチル)−Ｎ−メチルアミノ]−１−ヒドロキシプロパン−１,１−ジホスホン酸；１−ヒドロキシ−３−(ピロリジン−１−イル)プロパン−１,１−ジホスホン酸、例えば、EB 1053 (Leo)；１−(Ｎ−フェニルアミノチオカルボニル)メタン−１,１−ジホスホン酸、例えば、FR 78844 (Fujisawa)；５−ベンゾイル−３,４−ジヒドロ−２Ｈ−ピラゾール−３,３−ジホスホン酸 テトラエチルエステル、例えば、U-81581 (Upjohn)；および１−ヒドロキシ−２−(イミダゾ[１,２−ａ]ピリジン−３−イル)エタン−１,１−ジホスホン酸、例えば、YM 529：
あるいは薬学的に許容されるこれらの塩、または任意の水和物の少なくとも１つからなる群から選択される、請求項１〜５のいずれかに記載の医薬組成物。
【請求項７】
Ｎ−ビスホスホネートが２−(イミダゾール−１イル)−１−ヒドロキシエタン−１,１−ジホスホン酸(ゾレドロン酸)または薬学的に許容されるその塩である、請求項１〜６のいずれかに記載の医薬組成物。
【請求項８】
異なる抗前立腺癌剤または抗前立腺癌治療と組み合せて使用するための、請求項１〜７のいずれかに記載の医薬組成物。
【手続補正書】
【提出日】平成17年3月29日(2005.3.29)
【手続補正１】
【補正対象書類名】特許請求の範囲
【補正対象項目名】全文
【補正方法】変更
【補正の内容】
【特許請求の範囲】
【請求項１】
尿酸またはその前駆体に結合する少なくとも１つのアミンポリマーを含む、通風を治療するための医薬組成物。
【請求項２】
尿酸に結合するポリマーが脂肪族アミンポリマーである請求項１記載の医薬組成物。
【請求項３】
尿酸またはその前駆体に結合するポリマーが、アミン、シアノ基、オレフィン、ホスフィン、アルシン、スルフィド、ジチオカルバメート、ニトレート、カルボキシレート、フェノラート、アセチルアセトネート、および水酸基からなる群より選ばれる置換基により置換される請求項１記載の医薬組成物。
【請求項４】
ポリマーが、
【化１】
2004528332.tif 000001
【化２】
2004528332.tif 000002
【化３】
2004528332.tif 000003
【化４】
2004528332.tif 000004
式中、ｎは正の整数であり、ｙおよびｚは１以上の整数であり、R、R１、R2およびR3が独立して、Ｈまたは置換もしくは非置換のアルキル基である、
からなる群より選ばれる式を有する繰り返し単位ならびにその塩およびコポリマーにより特徴づけられる請求項１記載の医薬組成物。
【請求項５】
前記ポリマーが多官能性架橋剤により架橋される請求項４記載の医薬組成物。
【請求項６】
多官能性架橋剤が、モノマーおよび架橋剤の合わせた重量に基づいて0.5〜25重量％の量で存在する請求項５記載の医薬組成物。
【請求項７】
多官能性架橋剤が、モノマーおよび架橋剤の合わせた重量に基づいて2.5〜20重量％の量で存在する請求項５記載の医薬組成物。
【請求項８】
前記架橋剤がエピクロロヒドリンを含む請求項５記載の医薬組成物。
【請求項９】
ポリマーがホモポリマーである請求項５記載の医薬組成物。
【請求項１０】
ポリマーがポリアリルアミンである請求項５記載の医薬組成物。
【請求項１１】
ポリマーがポリジアリルアミンである請求項５記載の医薬組成物。
【請求項１２】
ポリマーがポリビニルアミンである請求項８記載の医薬組成物。
【請求項１３】
各式のR、R1、R2およびR3の少なくとも１つが水素である請求項４記載の医薬組成物。
【請求項１４】
１つ以上の食事とともに投与される請求項１記載の医薬組成物。
【請求項１５】
尿酸またはその前駆体に結合する少なくとも１つのポリマーを含む、尿酸レベルを低減するための医薬組成物。
【請求項１６】
尿酸に結合するポリマーが脂肪族アミンポリマーである請求項１５記載の医薬組成物。
【請求項１７】
尿酸に結合するポリマーが、アミン、シアノ基、オレフィン、ホスフィン、アルシン、スルフィド、ジチオカルバメート、ニトレート、カルボキシレート、フェノラート、アセチルアセトネート、および水酸基からなる群から選ばれる置換基により置換される請求項１５記載の医薬組成物。
【請求項１８】
ポリマーが、
【化５】
2004528332.tif 000005
【化６】
2004528332.tif 000006
【化７】
2004528332.tif 000007
【化８】
2004528332.tif 000008
式中、ｎは正の整数であり、ｙおよびｚは１以上の整数であり、R、R1、R2およびR3が独立してＨまたは置換もしくは非置換のアルキル、アルキルアミノまたはアリール基である、
からなる群より選ばれる式を有する繰り返し単位ならびにその塩およびコポリマーにより特徴づけられる請求項１５記載の医薬組成物。
【請求項１９】
前記ポリマーが多官能性架橋剤により架橋される請求項１８記載の医薬組成物。
【請求項２０】
多官能性架橋剤が、モノマーおよび架橋剤の合わせた重量に基づいて、0.5〜25重量％の量で存在する請求項１９記載の医薬組成物。
【請求項２１】
多官能性架橋剤が、モノマーおよび架橋剤の合わせた重量に基づいて、2.5〜20重量％の量で存在する請求項１９記載の医薬組成物。
【請求項２２】
架橋剤がエピクロロヒドリンを含む請求項１９記載の医薬組成物。
【請求項２３】
ポリマーがホモポリマーである請求項１９記載の医薬組成物。
【請求項２４】
ポリマーがポリアリルアミンである請求項１９記載の医薬組成物。
【請求項２５】
ポリマーがポリジアリルアミンである請求項１９記載の医薬組成物。
【請求項２６】
ポリマーがポリビニルアミンである請求項２２記載の医薬組成物。
【請求項２７】
各式のR、R1、R2およびR3の少なくとも１つが水素である請求項１８記載の医薬組成物。
【請求項２８】
非ステロイド性抗炎症薬物と共に投与される請求項１８記載の医薬組成物。
【請求項２９】
非ステロイド性抗炎症性薬物がコルヒチンを含む請求項２８記載の医薬組成物。
【請求項３０】
尿酸合成インヒビターと共に投与される請求項１８記載の医薬組成物。
【請求項３１】
尿酸合成インヒビターがキサンチンオキシダーゼインヒビターを含む請求項３０記載の医薬組成物。
【請求項３２】
キサンチンオキシダーゼインヒビターがアロプリノールを含む請求項３１記載の医薬組成物。
【請求項３３】
尿酸排泄剤と共に投与される請求項１８記載の医薬組成物。
【請求項３４】
１つ以上の食事とともに投与される請求項１８記載の医薬組成物。
【請求項３５】
セベラマー塩化水素を含む、尿酸を結合するための医薬組成物。
【請求項３６】
コレセベラムを含む、尿酸を結合するための医薬組成物。
【請求項３７】
尿酸過剰血症、痛風、過剰尿酸尿症、尿酸腎症または腎石症の治療目的のための医薬の製造のための尿酸またはその前駆体に結合する少なくとも１つのアミンポリマーの使用。
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
式(Ｉ)：
【化１】
2004528343.tif 000001
［式中：
−  Ｒ1は水素原子、またはメチルもしくはエチル基を表し；
−  Ｒ2はメチルもしくはエチル基を表すか；または、
−  Ｒ1およびＲ2は共に(ＣＨ2)3基を形成し；
−  ｒ3は、任意にハロゲン原子またはメチルもしくはメトキシ基で置換されていてもよいフェニル基を表すか、あるいはチエニル基を表し；
−  Ｒ4は水素もしくは塩素原子、またはメチルもしくはメトキシ基を表す］
の化合物またはそれらの医薬的に許容される塩、水和物もしくは溶媒和物を、有効成分として含む、抗癌剤としての使用のための医薬組成物。
【請求項２】
式(Ｉａ)：
【化２】
2004528343.tif 000002
［式中：
−  Ｒ1は水素原子、またはメチルもしくはエチル基を表し；
−  Ｒ2はメチルもしくはエチル基を表すか；または、
−  Ｒ1およびＲ2は共に(ＣＨ2)3基を形成し；
−  Ｒ3は水素もしくはハロゲン原子、またはメチルもしくはメトキシ基を表し；
−  Ｒ4は水素もしくは塩素原子、またはメチルもしくはメトキシ基を表す］
の化合物またはそれらの医薬的に許容される塩、水和物もしくは溶媒和物を、有効成分として含む、請求項１に記載の医薬組成物。
【請求項３】
式(Ｉａ)：
【化３】
2004528343.tif 000003
［式中：
−  Ｒ1は水素原子、またはメチルもしくはエチル基を表し；
−  Ｒ2はメチルまたはエチル基を表し；
−  Ｒ3は水素もしくはハロゲン原子、またはメチルもしくはメトキシ基を表し；
−  Ｒ4は水素もしくは塩素原子、またはメチルもしくはメトキシ基を表す］
の化合物またはそれらの医薬的に許容される塩、水和物もしくは溶媒和物を、有効成分として含む、請求項１または２に記載の医薬組成物。
【請求項４】
以下に記載される化合物：
−  6-クロロ-1,9-ジメチル-3-フェニル-1,9-ジヒドロ-2H-ピリド[2,3-b]インドール-2-
オン；
−  3-(4-メトキシフェニル)-1,9-ジメチル-1,9-ジヒドロ-2H-ピリド[2,3-b]インドール-2-オン；
−  1,6,9-トリメチル-3-(3-チエニル)-1,9-ジヒドロ-2H-ピリド[2,3-b]インドール-2-オン；
−  1,6,9-トリメチル-3-フェニル-1,9-ジヒドロ-2H-ピリド[2,3-b]インドール-2-オン；もしくは、
−  1,6-ジメチル-3-フェニル-1,9-ジヒドロ-2H-ピリド[2,3-b]インドール-2-オン；
またはそれらの医薬的に許容される塩、水和物もしくは溶媒和物の１つを有効成分として含む制癌剤としての使用のための医薬組成物。
【手続補正書】
【提出日】平成16年1月9日(2004.1.9)
【手続補正１】
【補正対象書類名】明細書
【補正対象項目名】発明の名称
【補正方法】変更
【補正の内容】
【発明の名称】農薬としてのチアゾリル置換炭素環−１，３−ジオン
【手続補正書】
【提出日】平成16年8月25日(2004.8.25)
【手続補正１】
【補正対象書類名】特許請求の範囲
【補正対象項目名】全文
【補正方法】変更
【補正の内容】
【特許請求の範囲】
【請求項１】
４−アミノ−１−ヒドロキシブチリデン−１，１−ビホスホン酸（４−Ａｍｉｎｏ−１−ｈｙｄｒｏｘｂｕｔｙｌｉｄｅｎ−１，１−ｂｉｐｈｏｓｐｈｏｎｉｃ  ａｃｉｄ）またはその塩の調整方法であって、この方法は：
（ａ）一般式Ｒ−Ｘ−Ｏ−（ＣＨ２ＣＨ２Ｏ）ｎ−Ｈを有する、アラルキルまたはアルキルエトキシレートまたはその誘導体存在下、あるいは一般式（ＲＣＯ２ＣＨ２）２ＣＨＣＯＯＲを有する、植物油や動物油またはその誘導体などから成るグループから選択しうるトリグリセリド存在下での、４−アミノブチル酸と亜リン酸および三塩化リンとの反応工程（上式中、Ｒは炭素原子１〜２０を含む枝分かれしたか枝分かれしていないアルキル基を表し、Ｘはフェニルまたはナフチルまたは−ＣＨ２−を表し、ｎは１〜３０の数字である）と、
（ｂ）リン中間体の加水分解反応による、上述の４−アミノ−１−ヒドロキシブチリデン−１，１−ビホスホン酸またはその塩の回収工程と、
を有する。
【請求項２】
請求項１の方法において、前記反応は、エトキシレートまたはトリグリセリド存在下で実施され、Ｒ＝Ｃ４−Ｃ１９アルキルまたはアルケニル、Ｘ＝フェニルまたは−ＣＨ２−、ｎ＝４−３０である。
【請求項３】
請求項２の方法において、前記反応は、４０℃〜１５０℃の温度で実施されるものである。
【請求項４】
請求項２の方法において、前記反応は、エトキシレート存在下で実施されるものであり、ここで、Ｒ＝Ｃ９、Ｘ＝フェニル、ｎ＝４−１０であり、化合物はノニルフェノールと４ｍｏｌ、６ｍｏｌ、あるいは１０ｍｏｌのエトキシレートである。
【請求項５】
請求項２の方法において、前記反応は、エトキシレート存在下で実施されるものであり、Ｒ＝Ｃ１１、Ｘ＝ＣＨ２、ｎ＝６であり、化合物は、ラウリルアルコールと６ｍｏｌのエトキシレートである。
【請求項６】
請求項２の方法において、前記反応は、トリグリセリド存在下で実施されるものであり、化合物がヒマワリ油、オリーブ油、トウモロコシ油である１つ以上の二重結合を含むＲ＝Ｃ１２−Ｃ２０。
【請求項７】
請求項４、５、６の方法において、前記温度はおよそ約７０度である。
【請求項８】
請求項４、５、６の方法において、前記４−アミノ−１−ヒドロキシブチリデン−１，１−ビホスホン酸と塩が回収されるものである。
【手続補正書】
【提出日】平成16年4月30日(2004.4.30)
【手続補正１】
【補正対象書類名】特許請求の範囲
【補正対象項目名】全文
【補正方法】変更
【補正の内容】
【特許請求の範囲】
【請求項１】
アニオン交換樹脂触媒を含む反応ゾーンにアルキレンオキシド及び水をフィードすること、
少なくとも２個のカルボン酸基を含有するポリカルボン酸からなる群より選ばれる酸の形態のアニオンを反応ゾーンにフィードし、この反応ゾーンで少なくとも８０℃の温度に維持すること、を含む、アルキレングリコールの製造方法。
【請求項２】
前記触媒は重炭酸塩形態、クエン酸塩形態又はシュウ酸塩形態のアニオン交換樹脂を含む、請求項１記載の方法。
【請求項３】
前記アルキレングリコールはエチレングリコール、プロピレングリコール又はブチレングリコールであり、そして前記アルキレンオキシドはエチレンオキシド、プロピレンオキシド又はブチレンオキシドである、請求項１又は２記載の方法。
【請求項４】
酸の形態のアニオンはクエン酸及びシュウ酸から選ばれる、請求項１〜３のいずれか１項記載の方法。
【請求項５】
酸の形態のアニオンは１０〜１５０ｐｐｍの濃度で反応ゾーンにフィードされる、請求項１〜４のいずれか１項記載の方法。
【請求項６】
前記反応ゾーンは少なくとも１つの断熱反応器を含む、請求項１〜５のいずれか１項記載の方法。
【請求項７】
反応温度は１００〜１４０℃である、請求項１〜６のいずれか１項記載の方法。
【請求項８】
反応ゾーンにおいてアルキレングリコールへのアルキレンオキシドと水との反応を触媒することができるアニオン交換樹脂触媒を安定化させるための方法であって、
アルキレンオキシド及び水フィードとともに、少なくとも２つのカルボン酸基を含有するポリカルボン酸からなる群より選ばれる酸の形態のアニオンを反応ゾーンへ共フィードすることを含む方法。
【請求項９】
酸の形態のアニオンはクエン酸及びシュウ酸から選ばれる、請求項８記載の方法。
【請求項１０】
酸の形態のアニオンは１０〜１５０ｐｐｍの濃度で反応ゾーンにフィードされる、請求項８又は９記載の方法。
【請求項１１】
アニオンの共フィードを行なわないことを除いて同一の反応条件下で見られる膨潤速度よりも少なくとも１体積％／日低い膨潤速度となるために十分な量のアニオンを共フィードする、請求項８〜１０のいずれか１項記載の方法。
【請求項１２】
アニオンの共フィードを行なわないことを除いて同一の反応条件下で見られる膨潤速度よりも少なくとも１．５体積％／日低い膨潤速度となるために十分な量が添加される、請求項１１記載の方法。
【請求項１３】
触媒の半減期が少なくとも２０日延びるために十分な量のアニオンを共フィードする、請求項８〜１２のいずれか１項記載の方法。
【請求項１４】
得られる触媒の半減期は１２０℃の反応ゾーンでの操作温度で少なくとも４０日間である、請求項８〜１３のいずれか１項記載の方法。
【請求項１５】
触媒の膨潤速度が少なくとも５０％低減されるために十分な量のアニオンを共フィードする、請求項８〜１４のいずれか１項記載の方法。
【手続補正書】
【提出日】平成16年6月30日(2004.6.30)
【手続補正１】
【補正対象書類名】特許請求の範囲
【補正対象項目名】請求項８
【補正方法】変更
【補正の内容】
【請求項８】
経皮吸収治療システムが、ロチゴチン０．１〜１．５ｍｇ／ｃｍ２を含有する、請求項１から７までのいずれか１項に記載の使用。
【手続補正２】
【補正対象書類名】特許請求の範囲
【補正対象項目名】請求項１１
【補正方法】変更
【補正の内容】
【請求項１１】
１０〜３０ｃｍ２の大きさを有し、かつ少なくとも２個のアミン耐性シリコーン系接着剤の混合物を主に含有するマトリックス中で、活性成分としてロチゴチン０．４〜０．５ｍｇ／ｃｍ２を含有する、パーキンソン氏病を治療するための経皮吸収治療システム。
【手続補正３】
【補正対象書類名】特許請求の範囲
【補正対象項目名】請求項１２
【補正方法】変更
【補正の内容】
【請求項１２】
無機ケイ酸塩１質量％未満を含有する、請求項１１に記載の経皮吸収治療システム。
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
PARP活性を阻害する医薬の製造における、下記式の化合物ならびに該化合物の異性体、塩、溶媒和物、化学保護体およびプロドラッグの使用。
【化１】
2004528376.tif 000001
［式中、
ＡおよびＢは一体となって、場合により置換されていても良い縮合ベンゼン環を表し；
３位と４位の間の破線は、場合により二重結合が存在していても良いことを示し；
ＲＣ１およびＲＣ２の少なくとも一方は、独立して−Ｌ−ＲＬによって表され、ＲＣ１およびＲＣ２の一方が−Ｌ−ＲＬによって表されていない場合、その基はＨであり、ここでＬは−ＣＨ２−または−Ｃ２Ｈ４−であり；
ＲＬは場合により置換されていても良いＣ５−２０アリール；および
ＲNは水素である。］
【請求項２】
癌療法で補助手段として使用される医薬の製造における、下記式の化合物ならびに該化合物の異性体、塩、溶媒和物、化学保護体およびプロドラッグの使用。
【化２】
2004528376.tif 000002
［式中、
ＡおよびＢは一体となって、場合により置換されていても良い縮合ベンゼン環を表し；
３位と４位の間の破線は、場合により二重結合が存在していても良いことを示し；
ＲＣ１およびＲＣ２の少なくとも一方は、独立して−Ｌ−ＲＬによって表され、ＲＣ１およびＲＣ２の一方が−Ｌ−ＲＬによって表されていない場合、その基はＨであり、ここでＬは−ＣＨ２−または−Ｃ２Ｈ４−であり；
ＲＬは場合により置換されていても良いＣ５−２０アリール；および
ＲNは水素である。］
【請求項３】
前記補助手段が、電離放射線との併用のためのものである請求項２に記載の使用。
【請求項４】
前記補助手段が、化学療法剤との併用のためのものである請求項２に記載の使用。
【請求項５】
化合物の３位と４位の間に二重結合が存在する請求項１ないし４のいずれか１項に記載の使用。
【請求項６】
ＲＣ１およびＲＣ２の一方が−Ｌ−ＲＬによって表され、ＲＣ１およびＲＣ２の他方がＨである請求項１ないし５のいずれか１項に記載の使用。
【請求項７】
縮合ベンゼン環が未置換である、請求項１ないし６のいずれか１項に記載の使用。
【請求項８】
Ｌが−ＣＨ２−である請求項１ないし７のいずれか１項に記載の使用。
【請求項９】
ＲＬが場合により置換されたベンゼン環である請求項１ないし８のいずれか１項に記載の使用。
【請求項１０】
下記式の化合物ならびに該化合物の異性体、塩、溶媒和物、化学保護体およびプロドラッグ、ならびに製薬上許容される担体または希釈剤を含む医薬組成物。
【化３】
2004528376.tif 000003
［式中、
ＡおよびＢは一体となって、場合により置換されていても良い縮合ベンゼン環を表し；
３位と４位の間の破線は、場合により二重結合が存在していても良いことを示し；
ＲＣ１およびＲＣ２の一方が−ＣＨ２−ＲＬ、他方がＨであり；
ＲＬは場合により置換されていても良いフェニル；および
ＲNは水素である。］
【請求項１１】
縮合ベンゼン環が未置換である、請求項１０に記載の化合物。
【請求項１２】
下記式の化合物ならびに該化合物の異性体、塩、溶媒和物、化学保護体およびプロドラッグ。
【化４】
2004528376.tif 000004
［式中、
ＡおよびＢは一体となって、場合により置換されていても良い縮合ベンゼン環を表し；
３位と４位の間の破線は、場合により二重結合が存在していても良いことを示し；
ＲＣ１およびＲＣ２の一方が−ＣＨ２−ＲＬ、他方がＨであり；
ＲＬは場合により置換されていても良いフルオロフェニル；および
ＲNは水素である］
【請求項１３】
縮合ベンゼン環が未置換である、請求項１２に記載の化合物。
【手続補正書】
【提出日】平成17年3月8日(2005.3.8)
【手続補正１】
【補正対象書類名】特許請求の範囲
【補正対象項目名】全文
【補正方法】変更
【補正の内容】
【特許請求の範囲】
【請求項１】
式（Ｉ）の化合物
【化１】
2004528377.tif 000001
の調製方法であって、
（式中、
Ｒ１は、水素、シアノ、ニトロ、またはハロゲンであり、
Ｒ２は、シアノ、ニトロ、ハロゲン、または置換されていてもよいアルキルもしくはアルコキシであり、
Ｒ３は、水素、ヒドロキシル、メルカプト、アミノ、ヒドロキシアミノ、ヒドラジノ、ハロゲン、あるいはラジカル、−Ｒ６、−Ｑ−Ｒ６、−ＮＨ−Ｒ６、−ＮＨ−Ｏ−Ｒ６、−ＮＨ−ＳＯ２−Ｒ６、−Ｎ（ＳＯ２−Ｒ６）２、−ＣＱ１−Ｒ６、−ＣＱ１−Ｑ２−Ｒ６、−ＣＱ１−ＮＨ−Ｒ６、−Ｑ２−ＣＱ１−Ｒ６、−ＮＨ−ＣＱ１−Ｒ６、−Ｎ（ＳＯ２−Ｒ６）（ＣＱ１−Ｒ６）、−Ｑ２−ＣＱ１−Ｑ２−Ｒ６、−ＮＨ−ＣＱ１−Ｑ２−Ｒ６、または−Ｑ２−ＣＱ１−ＮＨ−Ｒ６の１種であり、ここで
ＱはＯ、Ｓ、ＳＯまたはＳＯ２であり、
Ｑ１およびＱ２はそれぞれ独立に酸素または硫黄であり、
Ｒ６は置換されていてもよい、アルキル、アルケニル、アルキニル、シクロアルキル、シクロアルキルアルキル、アリール、アリールアルキル、複素環または複素環アルキルであり、
Ｒ４は、水素、ハロゲン、または置換されていてもよいアルキルであり、
Ｒ５は、フッ素および／または塩素で置換されたアルキルである）
式（ＩＩ）の化合物
【化２】
2004528377.tif 000002
（式中、Ｒ１、Ｒ２、Ｒ３、Ｒ４、およびＲ５はそれぞれ前記で定義したと同様である）を脱水剤と共に−３０℃と＋１８０℃の間の温度で反応させることを特徴とする方法。
【請求項２】
式（ＩＩ）の化合物を反応させることを特徴とする請求項１に記載の方法。
（式中、
Ｒ１は、水素、シアノ、ニトロ、フッ素、塩素または臭素であり、
Ｒ２は、シアノ、ニトロ、フッ素、塩素、臭素、または１〜４個の炭素原子を有しフッ素および／または塩素で置換されていてもよいアルキルもしくはアルコキシであり、
Ｒ３は、水素、ヒドロキシル、メルカプト、アミノ、ヒドロキシアミノ、ハロゲン、あるいはラジカル、−Ｒ６、−Ｑ−Ｒ６、−ＮＨ−Ｒ６、−ＮＨ−Ｏ−Ｒ６、−ＮＨ−ＳＯ２−Ｒ６、−Ｎ（ＳＯ２−Ｒ６）２、−ＣＱ１−Ｒ６、−ＣＱ１−Ｑ２−Ｒ６、−ＣＱ１−ＮＨ−Ｒ６、−Ｑ２−ＣＱ１−Ｒ６、−ＮＨ−ＣＱ１−Ｒ６、−Ｎ（ＳＯ２−Ｒ６）（ＣＱ１−Ｒ６）、−Ｑ２−ＣＱ１−Ｑ２−Ｒ６、−ＮＨ−ＣＱ１−Ｑ２−Ｒ６、または−Ｑ２−ＣＱ１−ＮＨ−Ｒ６の１種であり、ここで
ＱはＯ、Ｓ、ＳＯまたはＳＯ２であり、
Ｑ１およびＱ２はそれぞれ独立に酸素または硫黄であり、
Ｒ６は、１〜６個の炭素原子を有し、シアノ、ハロゲン、Ｃ１〜Ｃ４−アルコキシ、Ｃ１〜Ｃ４−アルキルチオ、Ｃ１〜Ｃ４−アルキルカルボニル、Ｃ１〜Ｃ４−アルコキシカルボニル、またはＣ１〜Ｃ４−アルキルアミノカルボニルで置換されていてもよいアルキル、
あるいは、それぞれ２〜６個の炭素原子を有し、シアノ、カルボキシ、ハロゲン、Ｃ１〜Ｃ４−アルキルカルボニル、Ｃ１〜Ｃ４−アルコキシカルボニル、またはＣ１〜Ｃ４−アルキルアミノカルボニルで置換されていてもよいアルケニルまたはアルキニル、
あるいは、それぞれシクロアルキル基中に３〜６個の炭素原子および場合によってはアルキル部分に１〜４個の炭素原子を有し、シアノ、カルボキシ、ハロゲン、Ｃ１〜Ｃ４−アルキルカルボニル、またはＣ１〜Ｃ４−アルコキシカルボニルで置換されていてもよいシクロアルキルまたはシクロアルキルアルキル、
あるいは、それぞれアリール基中に６または１０個の炭素原子および場合によってはアルキル部分に１〜４個の炭素原子を有し、モノ〜トリ−ヒドロキシ、メルカプト、アミノ、シアノ、カルボキシ、カルバモイル、チオカルバモイル、Ｃ１〜Ｃ４−アルキル、Ｃ１〜Ｃ４−ハロアルキル、Ｃ１〜Ｃ４−アルコキシ、Ｃ１〜Ｃ４−ハロアルコキシ、Ｃ１〜Ｃ４−アルキルチオ、Ｃ１〜Ｃ４−ハロアルキルチオ、Ｃ１〜Ｃ４−アルキルスルフィニル、Ｃ１〜Ｃ４−アルキルスルホニル、Ｃ１〜Ｃ４−アルキルアミノおよび／またはジメチルアミノで置換されていてもよいアリールまたはアリールアルキル、
あるいは、複素環基中に２〜６個の炭素原子および１〜３個の窒素原子および／または１個もしくは２個の酸素原子および／または１個の硫黄原子および場合によってはアルキル部分に１〜４個の炭素原子を有し、モノ〜トリ−ヒドロキシ、メルカプト、アミノ、シアノ、カルボキシ、カルバモイル、チオカルバモイル、Ｃ１〜Ｃ４−アルキル、Ｃ１〜Ｃ４−ハロアルキル、Ｃ１〜Ｃ４−アルコキシ、Ｃ１〜Ｃ４−ハロアルコキシ、Ｃ１〜Ｃ４−アルキルチオ、Ｃ１〜Ｃ４−ハロアルキルチオ、Ｃ１〜Ｃ４−アルキルスルフィニル、Ｃ１〜Ｃ４−アルキルスルホニル、Ｃ１〜Ｃ４−アルキルアミノおよび／またはジメチルアミノで置換されていてもよい複素環または複素環アルキルであり、
Ｒ４は、水素、フッ素、塩素、臭素、あるいは１〜６個の炭素原子を有しフッ素および／または塩素で置換されていてもよいアルキルであり、
Ｒ５は、１〜６個の炭素原子を有しフッ素および／または塩素で置換されたアルキルである）
【請求項３】
式（ＩＩ）の化合物。
【化３】
2004528377.tif 000003
（式中、Ｒ１、Ｒ２、Ｒ３、Ｒ４、およびＲ５はそれぞれ請求項１または２のいずれかで定義したと同様である）
【請求項４】
式（ＩＩＩ）の化合物を、−３０℃と＋１００℃の間の温度でヒドラジン、ヒドラジン水和物、またはヒドラジンの酸付加物と反応させることを特徴とする請求項３に記載の式（ＩＩ）の化合物の調製方法。
【化４】
2004528377.tif 000004
（式中、Ｒ１、Ｒ２、Ｒ３、Ｒ４、およびＲ５がそれぞれ請求項１または２のいずれかで定義したと同様である）
【請求項５】
反応を１種または複数の反応助剤の存在下で実施することを特徴とする請求項１に記載の方法。
【請求項６】
反応を１種または複数の希釈剤の存在下で実施することを特徴とする請求項１または５に記載の方法。
【請求項７】
使用される脱水剤が、カルボジイミド、オルトエステル、酸、酸無水物、酸クロリド、またはルイス酸であることを特徴とする請求項１、５または６の一項に記載の方法。
【請求項８】
使用される脱水剤が塩化チオニルであることを特徴とする請求項１、または５から７の一項に記載の方法。
【請求項９】
使用される反応助剤が塩基性有機窒素化合物であることを特徴とする請求項５から８の一項に記載の方法。
【手続補正書】
【提出日】平成17年4月25日(2005.4.25)
【手続補正１】
【補正対象書類名】特許請求の範囲
【補正対象項目名】請求項２３
【補正方法】変更
【補正の内容】
【請求項２３】
顆粒、錠剤、丸薬およびカプセルの形態をとり、口腔投薬に適した請求項２１に記載の医薬組成物。
【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
回転ドラムと、このドラム内に設けてあり、ドラムの内壁面および後壁面に洗浄液を吹き付けるように構成してある複数の定位置洗浄用ジェットノズルと、ドラムの最下方回転部位に設置した、洗浄液を除去するためのチューブとを含む水平型ソリッド・ボウル遠心分離機。
【請求項２】
ドラムが、重力の加速度に等しい遠心力を発生させるには不充分な回転速度で回転するように構成してある、請求項１の水平型ソリッド・ボウル遠心分離機。
【請求項３】
複数のジェットノズルが、ドラムの回転円の上２／３のエリアで洗浄液を吹き付けるように設置してある、請求項１または２の水平型ソリッド・ボウル遠心分離機。
【請求項４】
チューブが、吸引チューブ、サイフォン・チューブまたは剥ぎ取りチューブである、請求項１〜３のいずれか１項の水平型ソリッド・ボウル遠心分離機。
【請求項５】
チューブの入口が、遠心分離機のドラムの回転で最下方部位に位置する、請求項１〜４のいずれか１項の水平型ソリッド・ボウル遠心分離機。
【請求項６】
チューブが、ドラムを遮断している間に洗浄液を除去するように構成してある、請求項１〜５のいずれか１項の水平型ソリッド・ボウル遠心分離機。
【請求項７】
重力の加速度が、適切には１.０ｇに等しく、ドラムの回転速度が、適切には０.０ｇ〜０.８ｇの遠心力を発生させるに充分な速度である、請求項１〜６のいずれか１項の水平
型ソリッド・ボウル遠心分離機。
【請求項８】
速度が、適切には０.２ｇに等しい遠心力を発生させるに充分である、請求項７の水平
型ソリッド・ボウル遠心分離機。
【請求項９】
複数の定位置洗浄ジェットノズルが、２〜１２個のジェットノズルを含む、請求項１〜
８のいずれか１項の水平型ソリッド・ボウル遠心分離機。
【請求項１０】
定位置洗浄ジェットノズルが、３個のジェットノズルを含む、請求項１〜９のいずれか１項の水平型ソリッド・ボウル遠心分離機。
【請求項１１】
洗浄液を除去するチューブが、剥ぎ取りチューブであり、この剥ぎ取りチューブが、直立離脱位置と下方吸入位置との間で移動するように構成してある、請求項１〜１０のいずれか１項の水平型ソリッド・ボウル遠心分離機。
【請求項１２】
剥ぎ取りチューブが、下方吸入位置にあるとき、この剥ぎ取りチューブの入口開口が、ドラムの最下方回転部位に位置する、請求項１〜１１のいずれか１項の水平型ソリッド・ボウル遠心分離機。
【請求項１３】
水平型ソリッド・ボウル遠心分離機を洗浄する方法であり、遠心分離機のドラム内に定位置洗浄用ノズルを設け、１.０ｇに等しい重力の加速度に等しい遠心力を発生させるに
不充分な速度でドラムを回転させ、ドラムの内面に洗浄溶液を吹き付け、そして最下方回転部位にあるドラムの一部でドラムから洗浄液を除去することを含む方法。
【請求項１４】
定位置洗浄用ノズルを設けることが、２〜１２個のノズルを設けることを含む、請求項１３の方法。
【請求項１５】
定位置洗浄用ノズルを設けることが、３つのノズルを設けることを含む、請求項１３の方法。
【請求項１６】
定位置洗浄用ノズルを設けることが、ドラムの内壁面および後壁面に吹き付けを行うようにノズルを位置決めすることを含む、請求項１３〜１５のいずれか１項の方法。
【請求項１７】
洗浄液を除去することが、ドラムの回転を停止させることを含む、請求項１３〜１６のいずれか１項の方法。
【請求項１８】
洗浄液を除去することが、溶液を吸入することを含む、請求項１３〜１７のいずれか１項の方法。
【請求項１９】
溶液を吸入することが、流体を吸入するのに吸入チューブ、サイフォン・チューブおよび剥ぎ取りチューブの内の１つを使用することを含む、請求項１８の方法。
【請求項２０】
ドラムを回転させることが、適切には０.０ｇ〜０.８ｇの遠心力を発生させるのに充分な速度でドラムを回転させることを含む、請求項１３〜１９のいずれか１項の方法。
【請求項２１】
速度が、適切には０.２ｇに等しい遠心力を発生させるのに充分である、請求項２０の
方法。
【請求項２２】
洗浄液を除去することが、上方離脱位置から下方吸入位置へ剥ぎ取りチューブを移動させることを含む、請求項１３〜２１のいずれか１項の方法。
【請求項２３】
剥ぎ取りチューブを移動させることが、最下方回転部位にあるドラムの部分に剥ぎ取りチューブの入口開口を位置させることを含む、請求項２２の方法。
【手続補正書】
【提出日】平成16年10月6日(2004.10.6)
【手続補正１】
【補正対象書類名】特許請求の範囲
【補正対象項目名】全文
【補正方法】変更
【補正の内容】
【特許請求の範囲】
【請求項１】
管の軸方向に沿って延びて、横断面の周囲の第一の曲率半径（Ｒ１）を画定する第一の膨らんだ正面壁（ＶＥ）と、前記正面壁に対向し、前記横断面の周囲で第一の曲率半径より大きい第二の曲率半径（Ｒ３）を画定する第二の膨らんだ背面壁（ＤＯ）と、前記正面壁および前記背面壁を結合し、前記横断面の周囲で第一の曲率半径より小さい第三の曲率半径（Ｒ２）をそれぞれ画定する２個の第三の膨らんだ側面壁（ＦＬ）とを含み、爪三日月形の横断面を備えた、半径流リアクタのための筒状濾過管であって、前記第一、第二、および第三の壁（ＶＥ、ＤＯ、ＦＬ）が、前記軸方向に沿って延びて前記横断面の全周に分配される直線状の並列ワイヤ（ＦＲ）と、前記横断面の周囲に沿って前記ワイヤに対して垂直に延びて、ワイヤと共に前記管の前記壁（ＶＥ、ＤＯ、ＦＬ）に実質的に一定の寸法の長手方向開口部を画定する支持ロッド（ＦＣ）とから構成される網状組織により形成され、各支持ロッド（ＦＣ）が、曲げ加工によりそれ自体閉じられて前記曲率半径を形成することを特徴とする、濾過管。
【請求項２】
前記横断面の第三の曲率半径（Ｒ２）が、第一の曲率半径（Ｒ１）の６分の１より大きいことを特徴とする、請求項１に記載の濾過管。
【請求項３】
前記支持ロッド（ＦＣ）が、管の内部に配置され、ワイヤ（ＦＲ）に溶接されることを特徴とする、請求項１または２に記載の濾過管。
【請求項４】
前記ワイヤ（ＦＲ）が、前記横断面の周囲に実質的に一定の間隔で規則正しく配置されることを特徴とする、請求項１から３のいずれか一項に記載の濾過管。
【請求項５】
シリンダの軸に沿って互いに平行に延び、シリンダの横断面の周りに配置される支持ロッド（ＦＣ）と、シリンダの横断面の周囲に沿って互いに平行に延びるワイヤ（ＦＲ）とからなるシリンダを形成し、次いで、シリンダの横断面の周囲の連続する２本のロッド（ＦＣ）の間で前記シリンダを長手方向に割って、支持ロッドとワイヤとの網状組織からなる透かし面を備えたプレートを得、その後、ワイヤ（ＦＲ）に対して垂直方向にプレートを曲げ、前記支持ロッド（ＦＣ）をそれ自体閉じるようにして、爪三日月形の横断面を有する筒状の管を形成し、各支持ロッドの二端を接続ストリップに溶接することからなることを特徴とする、請求項１から４のいずれか一項に記載の濾過管の製造方法。
【請求項６】
シリンダを構成する際に、前記ワイヤ（ＦＲ）が、プレートの曲げ加工時に前記ワイヤＦＲ間の間隔が管の横断面の全周で実質的に一定になるように、互いの間の間隔を変えながら支持ロッド（ＦＣ）に溶接されることを特徴とする、請求項５に記載の製造方法。
【手続補正書】
【提出日】平成16年2月13日(2004.2.13)
【手続補正１】
【補正対象書類名】特許請求の範囲
【補正対象項目名】全文
【補正方法】変更
【補正の内容】
【特許請求の範囲】
【請求項１】
炭酸化チャンバと、
水の供給源と、
水の供給源を炭酸化チャンバと接続する水取入口バルブと、
二酸化炭素ガスの供給源と、
二酸化炭素ガスの供給源を炭酸化チャンバと接続する二酸化炭素取入口バルブと、
炭酸化チャンバ内の回転可能なミキサと、
炭酸化チャンバと接続されたガス排気バルブと、
ガス排気バルブと接続されたガス排気サイレンサと、
炭酸化チャンバに接続された炭酸水分配バルブとを備える、炭酸化装置。
【請求項２】
ガス排気サイレンサが、炭酸化チャンバから解放されるガスの速度を低下させる、請求項１に記載の炭酸化装置。
【請求項３】
ガス排気サイレンサが、
少なくとも１つの取入口と１つの排出口を有するハウジングを備え、前記ハウジングがその中にフィルタを備える内部空洞を有し、内部空洞が、第１の取入口と連絡しており、第１の取入口が、炭酸化チャンバから解放されたガスを受け入れ、排出口が第１の取入口と連絡して、ガスがフィルタを通過した後ガスを受け入れる、請求項２に記載の炭酸化装置。
【請求項４】
ハウジングが少なくとも２つの取入口を有し、第２の取入口が、炭酸化チャンバから排出された水を受け入れ、排出された水が、解放されたガスと混合され、排出口が混合された水とガスを受け入れる、請求項３に記載の炭酸化装置。
【請求項５】
二酸化炭素取入口バルブ、ガス排気バルブ、水取入口バルブ、炭酸水分配バルブ及びミキサを選択的に操作するためのコントローラをさらに備える、請求項１に記載の炭酸化チャンバ。
【請求項６】
炭酸化チャンバが矩形である、請求項１に記載の炭酸化チャンバ。
【請求項７】
矩形の炭酸化チャンバを所定の水位まで水で部分的に充填するステップと、
炭酸化チャンバ内に二酸化炭素ガスを導入するステップと、
水を攪拌して二酸化炭素ガスを水中に混合するステップと、
炭酸化チャンバからガス圧力を解放するステップと、
炭酸化チャンバから解放されたガス圧力を静穏化するステップと、
炭酸化チャンバから炭酸水を分配するステップとを含む、水を炭酸化するための方法。
【請求項８】
水の攪拌中、炭酸化チャンバ内の二酸化炭素ガスの圧力が維持される、請求項７に記載の方法。
【請求項９】
炭酸化チャンバを部分的に充填するステップが、炭酸化チャンバの上部に水を導入する、請求項７に記載の方法。
【請求項１０】
水は、水が炭酸化チャンバから分配される所の鉛直方向上方に、炭酸化チャンバに導入される、請求項７に記載の方法。
【請求項１１】
炭酸化チャンバから過剰な水を排出するステップと、
静穏化ステップ中に、排出された過剰な水と解放されたガスを混合するステップとを含む、請求項７に記載の方法。
【請求項１２】
第１の炭酸化レベルと第２の炭酸化レベルのうちの１つを選択するステップをさらに備える、請求項７に記載の方法。
【請求項１３】
二酸化炭素ガスを炭酸化チャンバ内に導入するステップが開始した約０．５秒後、水を攪拌するステップが開始する、請求項７に記載の方法。
【請求項１４】
二酸化炭素ガスを水の上方に導入する、請求項７に記載の方法。
【請求項１５】
炭酸化チャンバと、
炭酸化チャンバを所定の水位まで水で部分的に充填するための手段と、
二酸化炭素ガスを炭酸化チャンバ内の水の上方に導入するための手段と、
炭酸化チャンバ内に装着された、水を攪拌して、二酸化炭素ガスを水中に混合するための手段と、
炭酸化チャンバから炭酸水を分配するための手段とを備え、前記部分的に充填するための手段及び前記分配するための手段が、結合された充填及び分配バルブを備える、炭酸化装置。
【請求項１６】
炭酸化チャンバを部分的に充填する水が、炭酸化チャンバの上部内に導入される、請求項１５に記載の炭酸化装置。
【請求項１７】
二酸化炭素ガスを導入するための手段が、
二酸化炭素ガスの供給源と、
炭酸化チャンバ内に導入される二酸化炭素ガスの圧力を調整する圧力レギュレータとを備える、請求項１５に記載の炭酸化装置。
【請求項１８】
圧力レギュレータが、二酸化炭素ガスの圧力を約５バールまで調整する、請求項１７に記載の炭酸化装置。
【請求項１９】
充填するための手段及び分配するための手段が、水バルブであり、前記水バルブが、
炭酸化チャンバの内部表面と密閉的に係合する可撓性シールと、
第１の位置と第２の位置の間で可動であり、第２の位置にあるとき、可撓性シールを上昇させて、炭酸化チャンバの内部表面との係合を外すバルブ・スリーブであって、その内部端部に対して可撓性シールが嵌合するバルブ・スリーブと、
バルブ・スリーブを第１の位置へ偏倚させるばねとを備える、請求項１５に記載の炭酸化装置。
【請求項２０】
炭酸化チャンバが、その中に通し開口を有し、開口の側面が細長であり、バルブ・ハウジングを形成し、バルブ・スリーブが開口内に配置され、可撓性シールが開口の内側端部の周囲を密閉する、請求項１９に記載の炭酸化装置。
【請求項２１】
バルブ・スリーブに動作可能に接続されたソレノイドをさらに備え、ソレノイドはバルブ・スリーブを第１の位置から第２の位置へ移動させ、開口の側面がその中にオペレータ開口を有し、枢動自在なアームがソレノイドからオペレータ開口を通りバルブ・スリーブまで延びており、第２の可撓性のスリーブが枢動自在なアームをオペレータ開口に対して密閉する、請求項２０に記載の炭酸化装置。
【請求項２２】
両方のバルブ・スリーブを第１の位置に偏倚させる単一のばねをさらに備える、請求項１５に記載の炭酸化装置。
【請求項２３】
炭酸化チャンバを水で部分的に充填するための手段が、炭酸化チャンバから炭酸水を分配するための手段が炭酸化チャンバから炭酸水を除去する所の鉛直方向上方に水を導入する、請求項１５に記載の炭酸化装置。
【請求項２４】
矩形の炭酸化チャンバと、
炭酸化チャンバを所定の水位まで水で部分的に充填するための手段と、
二酸化炭素ガスを炭酸化チャンバ内の水の上方に導入するための手段と、
炭酸化チャンバ内に装着された、水を攪拌して、二酸化炭素ガスを水中に混合するための手段と、
炭酸化チャンバから炭酸水を分配するための手段とを備え、炭酸化チャンバが、所定の水位まで充填されたとき、液体とガスの体積比が約４対１である、炭酸化装置。